【手続補正書】
【提出日】平成18年2月15日(2006.2.15)
【手続補正１】
【補正対象書類名】明細書
【補正対象項目名】特許請求の範囲
【補正方法】変更
【補正の内容】
【特許請求の範囲】
【請求項１】  送信先を登録したリストであってユーザが共有して利用する共有送信先リストを記憶する共有送信先リスト記憶手段と、
送信先を登録したリストであってユーザ別に利用する複数のユーザ別送信先リストを記憶するユーザ別送信先リスト記憶手段と、
データを送信する特定の送信先の入力を受け付ける送信先入力手段と、
前記特定の送信先にデータを送信するデータ送信手段と、
前記特定の送信先が前記特定の送信先の入力にかかるユーザのユーザ別送信先リストに登録されているか否かを判別する第１の送信先登録判別手段と、
前記特定の送信先が前記特定の送信先の入力にかかるユーザのユーザ別送信先リストに登録されていない場合に、前記特定の送信先を前記特定の送信先の入力にかかるユーザのユーザ別送信先リストに登録する第１の送信先登録手段と、
を有することを特徴とするデータ送信装置。
【請求項２】  前記特定の送信先が前記特定の送信先の入力にかかるユーザのユーザ別送信先リストに登録されていない場合に、前記特定の送信先が所定数以上のユーザ別送信先リストに登録されているか否かを判別する第２の送信先登録判別手段と、
前記特定の送信先が所定数以上のユーザ別送信先リストに登録されている場合に、前記特定の送信先を前記共有送信先リストに登録する第２の送信先登録手段とをさらに有し、
前記第１の送信先登録手段は、前記特定の送信先が所定数以上のユーザ別送信先リストに登録されていない場合に、前記特定の送信先を前記特定の送信先の入力にかかるユーザのユーザ別送信先リストに登録することを特徴とする請求項１に記載のデータ送信装置。
【請求項３】  前記特定の送信先を前記共有送信先リストに登録した場合に、前記特定の送信先が登録されているユーザ別送信先リストから前記特定の送信先を削除する送信先削除手段をさらに有することを特徴とする請求項２に記載のデータ送信装置。
【請求項４】  前記特定の送信先を削除したユーザ別送信先リストにかかるユーザの送信先に前記特定の送信先を削除した旨の通知を送信する送信先削除通知送信手段をさらに有することを特徴とする請求項３に記載のデータ送信装置。
【請求項５】  前記特定の送信先を前記共有送信先リストに登録した場合に、前記特定の送信先が登録されているユーザ別送信先リストにかかるユーザの送信先に前記特定の送信先を削除するか否かの問合せを送信する送信先削除問合せ送信手段と、
前記問合せの送信にかかるユーザの送信先から前記特定の送信先を削除する旨の返信を受信する送信先削除返信受信手段とをさらに有し、
前記送信先削除手段は、前記問合せの送信にかかるユーザの送信先から前記特定の送信先を削除する旨の返信を受信した場合に、前記返信にかかるユーザのユーザ別送信先リストから前記特定の送信先を削除することを特徴とする請求項３に記載のデータ送信装置。
【請求項６】  送信先を登録したリストであってユーザが共有して利用する共有送信先リストを記憶する段階（１）と、
送信先を登録したリストであってユーザ別に利用する複数のユーザ別送信先リストを記憶する段階（２）と、
データを送信する特定の送信先の入力を受け付ける段階（３）と、
前記特定の送信先にデータを送信する段階（４）と、
前記特定の送信先が前記特定の送信先の入力にかかるユーザのユーザ別送信先リストに登録されているか否かを判別する段階（５）と、
前記特定の送信先が前記特定の送信先の入力にかかるユーザのユーザ別送信先リストに登録されていない場合に、前記特定の送信先が所定数以上のユーザ別送信先リストに登録されているか否かを判別する段階（６）と、
前記特定の送信先が所定数以上のユーザ別送信先リストに登録されている場合に、前記特定の送信先を前記共有送信先リストに登録する段階（７）と、
前記特定の送信先が所定数以上のユーザ別送信先リストに登録されていない場合に、前記特定の送信先を前記特定の送信先の入力にかかるユーザのユーザ別送信先リストに登録する段階（８）と、
を有することを特徴とするデータ送信先登録方法。
【請求項７】  送信先を登録したリストであってユーザが共有して利用する共有送信先リストを記憶する手順（１）と、
送信先を登録したリストであってユーザ別に利用する複数のユーザ別送信先リストを記憶する手順（２）と、
データを送信する特定の送信先の入力を受け付ける手順（３）と、
前記特定の送信先にデータを送信する手順（４）と、
前記特定の送信先が前記特定の送信先の入力にかかるユーザのユーザ別送信先リストに登録されているか否かを判別する手順（５）と、
前記特定の送信先が前記特定の送信先の入力にかかるユーザのユーザ別送信先リストに登録されていない場合に、前記特定の送信先が所定数以上のユーザ別送信先リストに登録されているか否かを判別する手順（６）と、
前記特定の送信先が所定数以上のユーザ別送信先リストに登録されている場合に、前記特定の送信先を前記共有送信先リストに登録する手順（７）と、
前記特定の送信先が所定数以上のユーザ別送信先リストに登録されていない場合に、前記特定の送信先を前記特定の送信先の入力にかかるユーザのユーザ別送信先リストに登録する手順（８）と、
をデータ送信装置に実行させることを特徴とするデータ送信先登録プログラム。
【請求項８】  請求項７に記載のデータ送信先登録プログラムを記録したコンピュータ読み取り可能な記録媒体。
【請求項９】  前記特定の送信先を前記共有送信先リストに登録した場合に、前記特定の送信先が登録されているユーザ別送信先リストから前記特定の送信先を削除する段階（９）をさらに有することを特徴とする請求項６に記載のデータ送信先登録方法。
【請求項１０】  前記特定の送信先を削除したユーザ別送信先リストにかかるユーザの送信先に前記特定の送信先を削除した旨の通知を送信する段階（１０）をさらに有することを特徴とする請求項９に記載のデータ送信先登録方法。
【請求項１１】  前記特定の送信先を前記共有送信先リストに登録した場合に、前記特定の送信先が登録されているユーザ別送信先リストにかかるユーザの送信先に前記特定の送信先を削除するか否かの問合せを送信する段階（１１）と、
前記問合せの送信にかかるユーザの送信先から前記特定の送信先を削除する旨の返信を受信する段階（１２）とをさらに有し、
段階（９）は、前記問合せの送信にかかるユーザの送信先から前記特定の送信先を削除する旨の返信を受信した場合に、前記返信にかかるユーザのユーザ別送信先リストから前記特定の送信先を削除することを特徴とする請求項９に記載のデータ送信先登録方法。
【請求項１２】  前記特定の送信先を前記共有送信先リストに登録した場合に、前記特定の送信先が登録されているユーザ別送信先リストから前記特定の送信先を削除する手順（９）をさらに有することを特徴とする請求項７に記載のデータ送信先登録プログラム。
【請求項１３】  前記特定の送信先を削除したユーザ別送信先リストにかかるユーザの送信先に前記特定の送信先を削除した旨の通知を送信する手順（１０）をさらに有することを特徴とする請求項１２に記載のデータ送信先登録プログラム。
【請求項１４】  前記特定の送信先を前記共有送信先リストに登録した場合に、前記特定の送信先が登録されているユーザ別送信先リストにかかるユーザの送信先に前記特定の送信先を削除するか否かの問合せを送信する手順（１１）と、
前記問合せの送信にかかるユーザの送信先から前記特定の送信先を削除する旨の返信を受信する手順（１２）とをさらに有し、
手順（９）は、前記問合せの送信にかかるユーザの送信先から前記特定の送信先を削除する旨の返信を受信した場合に、前記返信にかかるユーザのユーザ別送信先リストから前記特定の送信先を削除することを特徴とする請求項１２に記載のデータ送信先登録プログラム。
【請求項１５】  請求項１２〜１４のいずれか１つに記載のデータ送信先登録プログラムを記録したコンピュータ読み取り可能な記録媒体。